(57)【要約】【課題】外観を損なうことなく電波を良好に受信できる電波修正時計を提供すること。【解決手段】金属製の外装ケース１内に、アンテナ５の軸方向が文字板２１に平行に、かつ文字板２１の下面に近接して配置される。電波修正時計１００の側面視において、アンテナ５の中心位置Ｎは、外装ケース部１Ａの中心位置Ｐ１より文字板２１側に配置されている。アンテナ５が文字板２１側に近接して配置されているので、外装ケース１の一方の端面側から電波を受信できる。よって、アンテナ５での受信性能を確保しながら、外装ケース１および裏蓋３を金属材料で構成でき、電波修正時計１００の外観を高級感あるものにできる。【選択図】 図３
2005003675.tif 000002
【特許請求の範囲】
【請求項１】
筒軸方向の両端のうち少なくとも一方が開口した筒形状の金属製の外装ケースと、前記外装ケースに収納されるアンテナと、前記外装ケースの一方の端部側から視認可能であるとともに、時刻を表示する時刻表示手段と、この時刻表示手段を駆動する駆動手段と、前記外装ケースの他方の端部側を覆う金属製の蓋部材とを備え、
前記アンテナは、その軸方向が前記外装ケースの筒軸方向にほぼ直交する方向に配置されるとともに、当該無線通信機能付電子時計の側面視における前記アンテナの中心位置は、前記外装ケースおよび前記蓋部材を備えた外装ケース部の中心位置より前記外装ケースの前記一方の端部側に配置されている
ことを特徴とする無線通信機能付電子時計。
【請求項２】
請求項１に記載の無線通信機能付電子時計において、
前記外装ケースの前記一方の端部を覆うカバー部材と、前記一方の端部側から視認可能な文字板とを備え、これらの前記カバー部材および前記文字板は、非磁性材料かつ非導電性材料で構成されていることを特徴とする無線通信機能付電子時計。
【請求項３】
請求項１または請求項２のいずれかに記載の無線通信機能付電子時計において、
前記アンテナは、磁心と、この磁心に巻き回されたコイルとを備え、前記磁心両端の少なくとも一端は、前記外装ケースの前記一方の端部側に折曲されていることを特徴とする無線通信機能付電子時計。
【請求項４】
請求項１から請求項３のいずれかに記載の無線通信機能付電子時計において、
前記時刻表示手段は、１２時間式の指針を備え、前記アンテナの軸方向は、前記指針が３時を指し示す位置と９時を指し示す位置とを結ぶ方向にほぼ平行に配置されていることを特徴とする無線通信機能付電子時計。
【請求項５】
請求項１から請求項４のいずれかに記載の無線通信機能付電子時計において、
前記外装ケースの前記一方の端部側から視認可能な文字板を備え、
前記駆動手段は、前記文字板および前記蓋部材の間に配置されるとともに、駆動コイルの誘起電圧で駆動される電磁モータを有し、
当該無線通信機能付電子時計の側面視に対して、前記アンテナの中心位置は、前記駆動手段の中心位置より前記文字板側に配置されていることを特徴とする無線通信機能付電子時計。
【請求項６】
請求項１から請求項５のいずれかに記載の無線通信機能付電子時計において、
前記駆動手段は、圧電素子の振動によって前記時刻表示手段を駆動する圧電アクチュエータを備えていることを特徴とする無線通信機能付電子時計。
【請求項７】
請求項１から請求項６のいずれかに記載の無線通信機能付電子時計において、前記駆動手段に電力を供給する電池を備え、かつ前記駆動手段に設けられるとともに歯車を有する輪列と、前記時刻表示手段を外部から手動で操作できるように切替可能な切替ユニットと、水晶振動子を有する水晶振動子ユニットと、前記駆動手段の動作を制御する制御ブロックとの少なくともいずれか一つを備え、前記アンテナは、当該無線通信機能付電子時計の平面視で、前記輪列、前記切替ユニット、前記水晶振動子ユニット、および前記制御ブロックの少なくともいずれか一つを挟んで前記電池とは反対側に配置されていることを特徴とする無線通信機能付電子時計。
【発明の詳細な説明】
【技術分野】
【０００１】
本発明は、例えば電波修正時計などの無線通信機能付電子時計に関する。
【背景技術】
【０００２】
外部から電波を受信したり、外部に電波を送信したりして無線通信を行う無線通信機能付電子時計としては、例えば電波修正時計がある。電波修正時計は、標準時刻情報が含まれた電波をアンテナによって受信して時刻を修正する時計であり、このような電波修正時計として、アンテナが電波を受信しやすいように、アンテナを外装ケースの外側に配置したものがある（例えば特許文献１）。この電波修正時計では、例えば外装ケースが金属製であっても、外装ケースによって電波の受信を妨害されることなく、アンテナによって良好に電波を受信できる。
【０００３】
【特許文献１】特開平１１−２２３６８４号公報  （第４図）
【特許文献２】特開２００１―３３５７１号公報  （第１図）
【発明の開示】
【発明が解決しようとする課題】
【０００４】
しかしながら、このような電波修正時計では、アンテナが外装ケース外部に配置されているので、電波修正時計の外観を損ねてしまう。一方、アンテナを外装ケースの内部に収納する場合では、金属製の外装ケースで電磁波が妨げられてしまうため、アンテナに近接して配置される裏蓋側から電磁波を受信できるように、通常裏蓋がガラスなどの非金属材料で構成されている（例えば特許文献２参照）。したがって、この場合でも裏蓋に金属材料を使用することができず、やはり電波修正時計を高級感ある外観とすることができない。
【０００５】
本発明の目的は、外観を損ねることなく、アンテナでの無線通信を良好にできる無線通信機能付電子時計を提供することにある。
【課題を解決するための手段】
【０００６】
本発明の無線通信機能付電子時計は、筒軸方向の両端のうち少なくとも一方が開口した筒形状の金属製の外装ケースと、外装ケースに収納されるアンテナと、外装ケースの一方の端部側から視認可能であるとともに、時刻を表示する時刻表示手段と、この時刻表示手段を駆動する駆動手段と、外装ケースの他方の端部側を覆う金属製の蓋部材とを備え、アンテナは、その軸方向が外装ケースの筒軸方向にほぼ直交する方向に配置されるとともに、当該無線通信機能付電子時計の側面視におけるアンテナの中心位置は、外装ケースおよび蓋部材を備えた外装ケース部の中心位置より外装ケースの一方の端部側に配置されていることを特徴とする。
【０００７】
この発明によれば、外装ケースが金属製なので、無線通信機能付電子時計の外観が向上するが、これに伴い金属製の外装ケースによって外装ケース側面からの電波の送信や受信が妨げられる。したがって、外装ケース内のアンテナは、外装ケースの筒軸方向端部から電波を送受信しなければならない。この際、無線通信機能付電子時計の側面視において、アンテナの中心位置が、外装ケースおよび蓋部材を備えた外装ケース部の中心位置より一方の端部側に配置されているので、アンテナが、外装ケースの他方の端部側に取り付けられた金属製の蓋部材から遠い位置に配置されることとなる。よって、アンテナ周囲の電磁波が蓋部材に影響されることなく形成され、アンテナが一方の端部側から良好に電波を送受信可能となる。したがって、アンテナが、その無線通信性能を確保しながら外装ケースに収納されるので、無線通信機能付電子時計の外観が向上する。
また、これにより、蓋部材を金属材料で構成してもアンテナにおける電波の送受信が良好となるので、無線通信機能付電子時計の外観がより一層高級感あるものとなる。
なお、アンテナの中心位置は、より好ましくは、無線通信機能付電子時計の側面視において、外装ケースの一方の端部から、外装ケース部の３分の１の位置より外装ケースの一方の端部側に配置される。このような配置によれば、アンテナがより外装ケースの一方の端部側に近く配置されるので、アンテナでの電波の送受信がより一層確実となる。
【０００８】
ここで、アンテナが、その軸線方向が外装ケースの筒軸方向にほぼ直交する方向に配置されるとは、アンテナの軸線方向の延長線と、筒軸方向の延長線とがなす角度が９０°±３０°以内程度となることを意味し、好ましくは、９０°±１５°以内、より好ましくは９０°±１０°以内である。
また、無線通信機能付電子時計の側面視とは、外装ケースの筒軸方向に垂直な方向から無線通信機能付電子時計を見た状態を意味する。
さらに、外装ケース部の中心位置とは、外装ケースおよび蓋部材のうち、外装ケースの一方の端部から最も遠い端表面までの距離の中心位置をいい、例えば無線通信機能付電子時計の側面視において、蓋部材が外装ケースの他方の端部よりも突出して配置されている場合では、外装ケース部の中心位置は、外装ケースの一方の端部から蓋部材における端表面までの距離の中心位置となる。
外装ケースおよび蓋部材が金属材料で構成されているものとしては、外装ケースおよび蓋部材を金属材料のみで成形するものの他、例えばプラスチックやセラミックスなどで外装ケースおよび蓋部材の基材を成形し、これらの基材の表面に接着などにより薄板金属を接合するもの、これらの基材の表面に金属めっきなどによる金属層を形成するもの、あるいは、薄板金属の内方に射出成形等でプラスチックの基材を形成するものなどが含まれる。
また、外装ケースとしては、外装ケースの本体（いわゆる胴）に、一方の端部側に設けられた風防を保持する保持部材（いわゆるガラス縁）が設けられているものがあるが、この保持部材が金属材料で構成され、外装ケースの本体に接着やビス止めなどで一体化されている場合、外装ケースはこの保持部材をも含んで構成される。
そして、電波の送受信には、アンテナが電波を送信のみするもの、電波を受信のみするもの、および電波を送信かしつ受信するものなどが含まれる。
【０００９】
本発明では、外装ケースの一方の端部を覆うカバー部材と、一方の端部側から視認可能な文字板とを備え、これらのカバー部材および文字板は、非磁性材料かつ非導電性材料で構成されていることが望ましい。
この発明によれば、カバー部材および文字板が非磁性材料かつ非導電性材料で構成されているので、アンテナ周囲の非磁性材料、非導電性材料の割合が多くなり、これらのカバー部材および文字板がアンテナ周囲の磁界および電界を妨害する可能性がさらに低減し、アンテナの通信感度がより一層向上して、電波の送受信がより確実となる。
【００１０】
本発明では、アンテナは、磁心と、この磁心に巻き回されたコイルとを備え、磁心両端の少なくとも一端は、外装ケースの一方の端部側に折曲されていることが望ましい。
この発明によれば、アンテナの磁心両端の少なくとも一端が外装ケースの一方の端部側に折曲されているので、アンテナが、外装ケースの内部において、アンテナ端部の延長線が外装ケースの開口を通過する位置、つまり外装ケースに干渉しない位置に配置されることが可能となる。これにより、外装ケースが金属製の場合でもアンテナでの電波の送受信が容易になる。
【００１１】
本発明では、時刻表示手段は、１２時間式の指針を備え、アンテナの軸方向は、指針が３時を指し示す位置と９時を指し示す位置とを結ぶ方向にほぼ平行に配置されていることが望ましい。
この発明によれば、アンテナの軸方向が３時と９時とを結ぶ方向にほぼ平行に配置されているので、例えば無線通信機能付電子時計が金属製のバンド部を有する腕時計に適用される場合でも、アンテナの端部の延長線上に金属製のバンド部が干渉することがなく、アンテナにおいて良好に無線通信が行われる。
ここで、アンテナの軸方向が３時と９時とを結ぶ方向にほぼ平行であるとは、アンテナの軸方向の延長線と、３時と９時とを結ぶ方向の方向線とがなす角度が０°以上３０°以下程度となることを意味し、好ましくは０°以上１５°以下、より好ましくは０°以上１０°以下である。
【００１２】
本発明では、外装ケースの一方の端部側から視認可能な文字板を備え、駆動手段は、文字板および蓋部材の間に配置されるとともに、駆動コイルの誘起電圧で駆動される電磁モータを有し、当該無線通信機能付電子時計の側面視に対して、アンテナの中心位置は、駆動手段の中心位置より文字板側に配置され、かつ駆動コイルの中心位置は、駆動手段の中心位置より蓋部材側に配置されていることが望ましい。
この発明によれば、無線通信機能付電子時計の側面視において、アンテナが駆動手段の中心位置より文字板側に配置され、かつ駆動コイルが蓋部材側に配置されているので、アンテナと駆動コイルとが外装ケースの側面視において互いに離れた位置に配置されることとなる。駆動手段が時刻表示手段を駆動する際には、駆動コイルに流れる電流によって微弱磁界が発生する。この時、駆動コイルがアンテナに対して離れた位置に配置されているので、駆動コイルによって生じた磁界によるアンテナ周囲の磁界への影響が最小限に抑制される。これにより、アンテナでの電波の送受信感度が向上し、無線通信がより正確かつ良好となる。
【００１３】
本発明では、駆動手段は、圧電素子の振動によって時刻表示手段を駆動する圧電アクチュエータを備えていることが望ましい。
この発明によれば、圧電素子に電圧を印加することによって圧電アクチュエータを振動させ、この振動によって時刻表示手段を駆動する。時計の駆動手段として通常使用される電磁モータとは異なり、圧電アクチュエータは駆動時にも磁界を発生しないので、アンテナ周囲の磁界を妨げることがなく、アンテナでの電波の送受信がより確実となり、アンテナでの無線通信精度が向上する。
【００１４】
本発明では、駆動手段に電力を供給する電池を備え、かつ駆動手段に設けられるとともに歯車を有する輪列と、時刻表示手段を外部から手動で操作できるように切替可能な切替ユニットと、水晶振動子を有する水晶振動子ユニットと、駆動手段の動作を制御する制御ブロックとの少なくともいずれか一つを備え、アンテナは、当該無線通信機能付電子時計の平面視で、輪列、切替ユニット、水晶振動子ユニット、および制御ブロックの少なくともいずれか一つを挟んで電池とは反対側に配置されていることが望ましい。
この発明によれば、通常電池の外缶ケースは金属製であるが、アンテナおよび電池が、輪列、切替ユニット、水晶振動子ユニット、および制御ブロックの少なくともいずれか一つを挟んで互いに反対側に配置されているので、電池がアンテナから遠い位置に配置されることとなる。したがって、電池がアンテナで受ける電波磁界を妨げることなく、アンテナの電波の送受信感度が向上し、無線通信がより一層確実となる。
ここで、無線通信機能付電子時計の平面視とは、外装ケースの筒軸方向に平行な方向から無線通信機能付電子時計を見た状態を意味する。
【発明の効果】
【００１５】
本発明の無線通信機能付電子時計によれば、無線通信機能付電子時計の側面視において、アンテナの中心位置が外装ケース部の中心位置より一方の端部側に配置されているので、アンテナが当該端部側に近く配置され、当該端部側から無線通信できる。したがって、外装ケースや他方の端部側の裏蓋などを金属材料で構成することができるので、無線通信機能付電子時計の外観を損なうことなく良好に無線通信できるという効果がある。
【発明を実施するための最良の形態】
【００１６】
以下、本発明の各実施形態を図面に基づいて説明する。なお、後述する第二実施形態以降で、以下に説明する第一実施形態での構成部品と同じ部品および同様な機能を有する部品には同一符号を付し、説明を簡単にあるいは省略する。
【００１７】
〔第一実施形態〕
図１には、第一実施形態にかかる無線通信機能付電子時計としての電波修正時計１００の平面図が、また図２には図１のII-II断面図が、そして図３には図１のIII-III断面図が示されている。
この電波修正時計１００は、腕時計型であって、図１、図２、図３に示されるように、リング状（両端が開口の短筒形状）の外装ケース１を備える。
外装ケース１は、各指針を駆動する歯車の軸線方向（例えば二番車４４４の軸線方向）である筒軸方向Ｌ１の両端が開口したリング状部材であって、例えば、黄銅、ステンレス鋼、チタン合金などの金属材料によって形成されている。外装ケース１の厚み（筒軸方向Ｌ１方向の高さ）はリングの径に比べて小さいものであり、１０ｍｍ以下あるいは５ｍｍ以下に形成される。外装ケース１の外周で互いに反対位置には、腕時計用バンドを取り付ける取付部１１，１２が形成されている。ここで、外装ケース１の中心点からみて取付部１１，１２のうち一方が設けられる方向を１２時方向とし、取付部１１，１２の他方が設けられる方向を６時方向とする。図１中では、上方（取付部１１の方）を１２時方向とし、下方（取付部１２の方）を６時方向とする。
【００１８】
外装ケース１の胴部には、略４時方向から貫通する巻真１３１が設けられている。巻真１３１の一端は外装ケース１の外側に位置するとともに、この一端には竜頭１３２が設けられている。巻真１３１の他端は外装ケース１の内側に位置するとともに、この他端側にはカンヌキ１３３およびオシドリ１３４が設けられている。カンヌキ１３３は、ツヅミ車１３５と係合し、巻真１３１を引き出すことにより、オシドリ１３４、カンヌキ１３３を介してツヅミ車１３５が巻真１３１の軸方向に移動して日の裏車（図示せず）と噛み合って、指針の位置を修正できるように構成されている。巻真１３１、カンヌキ１３３、オシドリ１３４およびツヅミ車１３５などにより、指針の位置修正を外部から手動で操作できるように切替可能な切替ユニット１３が構成されている。
【００１９】
外装ケース１の一方の開口側には図２、図３に示されるように、時刻表示手段２が設けられ、外装ケース１の他方の開口には開口を閉じる裏蓋（蓋部材）３が設けられている。ここで、図２および図３中の上方を電波修正時計１００の上方とし、図中の下方を電波修正時計１００の下方とする。また、筒軸方向Ｌ１に沿った方向を電波修正時計１００の厚み方向（高さ方向）とする。
時刻表示手段２は、外装ケース１の筒軸方向Ｌ１（図１中では紙面垂直方向）に対して略直交する時刻表示面２１１を有する文字板２１と、この文字板２１上で回動する指針２２１、２２２とを備えて構成されている。
文字板２１は略円板状であって外装ケース１の開口を閉じる面積を有する。文字板２１は非導電性かつ非磁性の材料で構成されており、例えば、プラスチック、セラミックス、紙類、その他任意の材料が採用できる。時刻表示面２１１は外部から視認可能に外方に向けて設けられ、時刻表示面２１１上の外縁寄りには時刻を表す数字や文字などの装飾（不図示）が円環状に印字されている。
【００２０】
指針は、分を示す分針２２１と、時を示す時針２２２とを備えて構成されている。指針２２１、２２２は両者とも黄銅、アルミニウム、ステンレス鋼等の金属材料で構成されている。分針２２１および時針２２２が文字板２１の略中心を回転軸として時刻表示面２１１上で回動され、時刻表示面２１１上の数字や文字などを指し示すことで時刻が示される。したがって、指針は、時針２２２の一周分で１２時間を表す１２時間式の時刻表示手段となっている。
指針２２１、２２２を間にして文字板２１と対向して風防（カバー部材）２３が設けられている。風防２３は、外装ケース１の一方の開口端を覆うように設けられ、この開口を塞ぐ面積を有する。風防２３は、非導電性かつ非磁性の光透過性材料で構成され、例えば、無機ガラスや有機ガラスで形成される。
【００２１】
裏蓋３は、文字板２１に対して所定間隔を有して配置されており、外装ケース１の他方の開口端を覆うように設けられて、この開口を閉じる面積を有する。裏蓋３は、導電性かつ非磁性の金属材料で構成され、例えば、ステンレス鋼、黄銅、チタン合金などが採用できるし、導電性かつ磁性の金属材料であるパーマロイなども採用できる。
【００２２】
外装ケース１の内側で文字板２１および裏蓋３との間には、計時機能を有するムーブメント４と、ムーブメント４を外装ケース１に保持するプラスチックの中枠１４と、ムーブメント４に電力を供給する電池４９と、時刻情報を含む標準電波を受信するアンテナ５とが設けられている。
【００２３】
ムーブメント４は、水晶振動子４１１（図４参照）を含む水晶振動子ユニット４１と、制御機能を有する回路ブロック（制御ブロック）４２と、指針２２１、２２２を回動させるステッピングモータ（電磁モータ）４３Ａ，４３Ｂを備えた駆動手段と、ステッピングモータ４３Ａ，４３Ｂの動力を回転運動として指針２２１、２２２に伝達する輪列４４と、輪列４４を外装ケース１の筒軸方向Ｌ１から挟持する地板４６および輪列受４７とを備えて構成されている。
【００２４】
水晶振動子ユニット４１は、基準クロック用の水晶振動子４１１を備えている。また、標準電波の周波数（６０ｋＨｚ、４０ｋＨｚ）に同調する同調信号生成用の水晶振動子として６０ｋＨｚ用の水晶振動子４１２と４０ｋＨｚ用の水晶振動子４１３とが設けられている。同調信号生成用の水晶振動子４１２、４１３は略９時方向に配置されている。
水晶振動子ユニット４１および回路ブロック４２は、略１２時方向に配設されている。図４に、水晶振動子ユニット４１および回路ブロック４２の構成ブロック図を示す。
回路ブロック４２は、アンテナ５で受けた標準電波を処理して時刻情報として出力する受信回路４２１と、受信回路４２１から出力された時刻情報を記憶する記憶回路４２２と、水晶振動子４１１からのクロックパルスで現時刻をカウントするとともに受信した時刻情報で現時刻を修正する中央制御回路４２３と、ステッピングモータ４３Ａ，４３Ｂを駆動するモータ駆動回路４２５と、指針位置を検出する針位置検出回路４２６とを備えている。
【００２５】
受信回路４２１は、アンテナ５によって受信された標準電波を増幅する増幅回路、所望の周波数成分を抽出するフィルタ、信号を復調する復調回路、信号をデコードするデコード回路などを備えて構成されている。
記憶回路４２２は、受信回路４２１でデコードされた時刻情報を一旦記憶するとともに記憶した複数の時刻情報を対比して受信の成否を判断する。
中央制御回路４２３は、発振回路、分周回路、現時刻をカウントする現時刻カウンタ、および、受信した時刻情報に従って現時刻カウンタのカウント値を修正する時刻修正回路などを備えている。中央制御回路４２３は、受信回路４２１の受信スケジュールを記憶するとともに受信動作を制御する受信制御回路４２４を備え、受信スケジュールとしては、午前２時から午前２時６分に受信動作を行う設定が行われる。また、受信制御回路４２４に対して切替ユニット１３による入力操作によって時刻情報の強制受信が指令された場合には、受信制御回路４２４からの出力信号により受信回路４２１で受信動作が実行される。
モータ駆動回路４２５は、中央制御回路４２３から指令されるタイミングでステッピングモータ４３Ａ，４３Ｂに駆動パルスを印加する。
針位置検出回路４２６は、指針（分針２２１、時針２２２）の針位置を検出して中央制御回路４２３に検出結果を出力する。中央制御回路４２３内において、針位置検出回路４２６からの検出結果と時刻カウンタのカウンタ値とが比較される。そして、この比較結果に基づいて指針位置をカウンタ値に一致させるモータパルスの出力がモータ駆動回路４２５に指令される。
【００２６】
駆動手段は、分針２２１を回転させる分針用ステッピングモータ４３Ａと、時針２２２を回転させる時針用ステッピングモータ４３Ｂとを備えている。
ステッピングモータ４３Ａ，４３Ｂは、モータ駆動回路４２５から供給される駆動パルスによって磁力を発生する駆動コイル４３１Ａ，４３１Ｂと、この駆動コイル４３１Ａ，４３１Ｂによって励磁されるステータ４３２Ａ，４３２Ｂと、ステータ４３２Ａ，４３２Ｂに励磁される磁界により回転するロータ４３３Ａ，４３３Ｂとを備えている。分針用ステッピングモータ４３Ａは、略１０時方向に配設され、時針用ステッピングモータ４３Ｂは、略８時方向に配設されている。
ステッピングモータ４３Ａ，４３Ｂは、電波修正時計１００を筒軸方向Ｌ１に垂直な方向から見た状態、つまり図２や図３のような電波修正時計１００の側面視（断面視）において、駆動コイル４３１Ａ，４３１Ｂが輪列受４７に重なる位置に配置され、これにより、駆動コイル４３１Ａ，４３１Ｂは裏蓋３に近接して配置されている。この時、駆動コイル４３１Ａ，４３１Ｂの厚み方向（高さ方向）の中心位置Ｍは、ムーブメント４の厚み方向の中心位置Ｃ、つまり地板４６および輪列受４７から等間隔の位置よりも裏蓋３に近い側となる位置に配置されている。したがって、駆動コイル４３１Ａ，４３１Ｂの厚み方向の中心位置Ｍから輪列受４７下面までの距離Ｍ１は、駆動コイル４３１Ａ，４３１Ｂの厚み方向の中心位置Ｍから地板４６上面までの距離Ｍ２より小さくなるように設定されている。
【００２７】
輪列４４は、ロータ４３３Ａ，４３３Ｂの回転を指針２２１、２２２に伝達し、分針用ステッピングモータ４３Ａから分針２２１が接続された分針軸４４２と一体回転する二番車４４４へ繋がる分針用輪列４４Ａと、時針用ステッピングモータ４３Ｂから時針２２２が接続された筒車４４１へ繋がる時針用輪列４４Ｂとを備えて構成されている。輪列４４は、ステンレス鋼などの導電性および磁性を有する金属材料や、セラミックスやプラスチックのような非導電性および非磁性の材料など、適切な強度を確保できる材料を適宜選択すればよい。
【００２８】
地板４６は、文字板２１側において輪列４４を軸支し、輪列受４７は裏蓋３側において輪列４４を軸支する。地板４６および輪列受４７は、非導電性かつ非磁性の材料で構成され、例えば、プラスチックやセラミックスで形成される。なお、輪列受４７は、平面面積が小さければ、黄銅等の金属材料を用いてもよい。
輪列４４、ステッピングモータ４３Ａ，４３Ｂ、および回路ブロック４２は、地板４６および輪列受４７の間に挟まれて一体化されることにより、ムーブメント４を構成している。
中枠１４は外装ケース１の内周に沿ったリング状部材であって、ムーブメント４の周端面を囲んでいる。そして、この中枠１４によりムーブメント４が外装ケース１内に保持されている。中枠１４は、非導電性かつ非磁性の材料で形成され、例えば、プラスチックやセラミックスで形成される。
電池４９は、一次電池または二次電池であり、その外缶ケースが金属材料で形成されている。電池４９は、略２時方向に配設され、略１時方向から略３時方向にわたって場所を占めている。
【００２９】
アンテナ５は、純鉄、アモルファス金属などの高透磁率材料で構成された磁心５１と、この磁心５１にコイル５２が多層に巻きまわされて形成されている。磁心５１は、鉄損を低減できるように薄板状部材を多数積層して断面外形形状が略矩形状に形成されている。なお、薄板状部材同士はエポキシ系等の絶縁性を有する接着剤で接着されている。
アンテナ５は、電波修正時計１００の側面視において、その軸方向が文字板２１の平面にほぼ平行に、かつ文字板２１において時刻表示面２１１とは反対側の面、つまり文字板２１の裏蓋３側の面に近接して配置されている。この時、アンテナ５は、文字板２１に当接して配置されていてもよいし、または文字板２１と所定寸法以内の間隔を有して配置されていてもよい。アンテナ５と文字板２１との所定寸法は、アンテナ５の形状や、文字板２１の材質、寸法等を勘案して、アンテナ５が良好に電波を受信できる距離に予め設定すればよい。
【００３０】
ここで、本実施形態においては、アンテナ５は地板４６上面に形成された溝４６１に収納され、地板４６上面から露出して配置され、アンテナ５の外形部分が文字板２１下面に当接されている。この時、電波修正時計１００の側面視において、磁心５１の中心位置Ｎは、ムーブメント４の中心位置Ｃより文字板２１側に配置されることとなる。言い換えれば、電波修正時計１００の厚み方向において、磁心５１の中心位置Ｎは、ムーブメント４の中心位置Ｃより風防２３側であり、また外装ケース１の一方の開口端（端部）側であるといえる。
【００３１】
またこの時、外装ケース１および裏蓋３を外装ケース部１Ａとすると、電波修正時計１００の側面視において、磁心５１の中心位置Ｎは、外装ケース部１Ａの中心位置Ｐ１よりも文字板２１側に配置されている。言い換えれば、外装ケース１の風防２３側の端部（一方の端部）から磁心５１の中心位置Ｎまでの距離Ｑ１は、磁心５１の中心位置Ｎから裏蓋３側の下端（端表面）までの距離Ｑ２よりも小さくなっている。この時、風防２３から文字板２１までの距離が小さいほど、アンテナ５を風防２３側に近づけて配置できるので、前述の位置関係が成り立ちやすい。したがって、指針が時針２２２および分針２２１のみであると、秒針やその他の指針がある場合に比べて、文字板２１を風防２３に近づけて配置でき、これによりアンテナ５を風防２３側に近づけて配置することができる。この観点より、距離Ｑ１は（Ｑ１＋Ｑ２）×１／３よりも小さくなるように設定されていることがより好ましい。
さらに、電波修正時計１００の側面視において、コイル５２と駆動コイル４３１Ａ，４３１Ｂとは、厚み方向（高さ方向）に重ならないように配置されている。そして、磁心５１およびステータ４３２Ａ，４３２Ｂ（つまり駆動コイル４３１Ａ，４３１Ｂの磁心）も、厚み方向（高さ方向）に重ならないように配置されている。
【００３２】
電波修正時計１００を外装ケース１の筒軸方向Ｌ１に沿った方向から見た状態、つまり電波修正時計１００の平面視（図１の状態）において、アンテナ５は略６時方向に配設され、その軸方向が略３時方向と略９時方向とを結ぶ方向にほぼ平行となっている。また、アンテナ５は、電波修正時計１００の平面視において、切替ユニット１３を挟んで電池４９とは反対側に配置されていることとなる。
【００３３】
このような構成を備える第一実施形態の電波修正時計１００の動作について説明する。
水晶振動子４１１の発振を分周して生成された基準クロックにより時刻カウンタの現時刻が更新される。また、針位置検出回路４２６にて指針（分針２２１、時針２２２）の位置が検出され、検出結果は中央制御回路４２３に出力される。指針位置と時刻カウンタのカウンタ値とが比較され、比較結果に基づいてモータ駆動回路４２５を介してステッピングモータ４３Ａ，４３Ｂが駆動される。ステッピングモータ４３Ａ，４３Ｂの駆動によるロータ４３３Ａ，４３３Ｂの回転は輪列４４にて指針２２１、２２２に伝達され、指針２２１、２２２により時刻表示面２１１上の数字が指示されることにより、現時刻が表示される。
【００３４】
次に、標準電波の受信動作および標準電波の時刻情報に基づく時刻修正動作について説明する。
標準電波はアンテナ５で受信される。ここで、標準電波は、電磁波であるところ、電波の進行方向に対して垂直方向に振動する電界変動と、電波の進行方向および電界変動に垂直方向に振動する磁界変動とからなる。そして、磁界変動が、風防２３および文字板２１を抜けて、アンテナ５の磁心５１を通り、軸線に沿ってコイル５２に鎖交することでコイル５２に誘導電圧が生じ、標準電波の受信が行われる。
【００３５】
受信制御回路４２４に設定された受信開始時刻である午前２時になると、受信制御回路４２４から受信回路４２１に受信動作開始の指令が出力される。あるいは、切替ユニット１３により、強制受信操作が入力されると、受信制御回路４２４から受信回路４２１に受信開始の指令が出力される。受信回路４２１は、受信開始の指令を受けると、電池４９から電力供給を受けて、アンテナ５で受信された信号（時刻情報）のデコードを開始する。
デコードされた時刻情報は一旦記憶回路４２２に記憶されるとともに、複数回（例えば６回）の受信で得られた時刻情報を前後同士で比較して受信の正確さを判断する。正確に受信された時刻情報に従って時刻修正回路により時刻カウンタの現時刻が修正される。そして、時刻カウンタの時刻に従って針位置が修正され、受信時刻に従った時刻が示される。
【００３６】
このような第一実施形態によれば、次のような効果が得られる。
(１) アンテナ５が、外装ケース１の内部に収納されているので、アンテナが外装ケースの外側に配置される従来の電波修正時計に比べて、電波修正時計１００の外観を向上させることができる。
また、アンテナ５が文字板２１および風防２３（外装ケース１の一方の端部側）に近い位置に配置されている、つまり、電波修正時計１００の側面視において、アンテナ５の中心位置Ｎが、外装ケース部１Ａの中心位置Ｐ１より文字板２１および風防２３側に配置されているので、アンテナ５が文字板２１側（風防２３側、つまり外装ケース１の一方の端部側）から良好に電波を受信できる。したがって、文字板２１側と反対側で、アンテナ５とは遠い外装ケース１の他方の端部側に配置された裏蓋３を金属材料で構成することができ、これによっても電波修正時計１００の外観を向上させることができる。
さらに、外装ケース１も金属材料で構成されているので、電波修正時計１００の外観をより一層向上させることができ、高級感ある外観を得ることができる。そして、外装ケース１および裏蓋３がともに金属材料で構成されている本実施形態においても、アンテナ５が外装ケース１の一方の端部側に配置されているので、当該一方の端部側から良好に電波を受信できる。
【００３７】
(２) 電波修正時計１００の側面視において、アンテナ５の中心位置Ｎが、ムーブメント４の中心位置Ｃより文字板２１側（風防２３側、つまり外装ケース１の一方の端部側）に配置されているので、アンテナ５を文字板２１側により近接して配置でき、外装ケース１の一方の端部側からアンテナ５での電波を受信しやすくできる。したがって、アンテナ５の受信感度をより一層向上させることができる。
【００３８】
(３) また、この時ステッピングモータ４３Ａ，４３Ｂの駆動コイル４３１Ａ，４３１Ｂがムーブメント４内で裏蓋３側に近接して配置されているので、アンテナ５の軸線と駆動コイル４３１Ａ，４３１Ｂの軸線とを電波修正時計１００の側面視において互いに離れた位置に配置することができる。通常、駆動コイル４３１Ａ，４３１Ｂに電流が流れると、駆動コイル４３１Ａ，４３１Ｂ周囲には微弱磁界が発生するが、これらの駆動コイル４３１Ａ，４３１Ｂがアンテナ５から離れた位置に配置されているので、この微弱磁界によるアンテナ５への影響を低減することができる。
また、駆動コイル４３１Ａ，４３１Ｂ（またはステータ４３２Ａ，４３２Ｂ）と、アンテナ５のコイル５２（または磁心５１）とが、電波修正時計１００の側面視において重ならない位置に配置されているので、これによっても両者を側面視において互いに離れた位置に配置でき、ステッピングモータ４３Ａ，４３Ｂで発生する微弱磁界によるアンテナ５の電波受信への影響をより低減できる。さらに、駆動コイル４３１Ａ，４３１Ｂが裏蓋３側に近接して配置されているので、外部からの電波がステータ４３２Ａ，４３２Ｂに引き込まれるのを防止でき、アンテナ５が、外装ケース１の文字板２１側の開口から電波を容易に受信できる。
【００３９】
(４) アンテナ５と電池４９との間に、切替ユニット１３が配置されているので、電池４９の金属製の外缶ケースによるアンテナ５周囲の磁界への影響を最小限に抑制でき、アンテナ５での電波受信をより確実かつ正確にできる。
【００４０】
(５) アンテナ５が３時および９時を結ぶ方向にほぼ平行に配置されているので、例えば取付部１１，１２に金属製の腕時計用バンドが取り付けられる場合でも、アンテナ５の軸方向延長線上に腕時計用バンドが干渉しないので、腕時計用バンドによって電波磁界を妨げられることなく、アンテナ５において良好かつ確実に電波を受信できる。
【００４１】
(６) 文字板２１および風防２３が非磁性かつ非導電性の材料で構成されているので、外装ケース１の風防２３側の開口から入った電波が文字板２１および風防２３を抜けることができる。したがって、アンテナ５が外装ケース１の開口から進入する電波を良好に受信できる。
【００４２】
〔第二実施形態〕
次に、本発明の第二実施形態について説明する。第二実施形態は第一実施形態におけるアンテナ５の形状が異なるものである。
図５には、第二実施形態にかかる電波修正時計１００の平面図が、また図６には、図５のVI-VI断面図が示されている。これらの図５および図６において、アンテナ５の磁心５１は、略リング板状に形成され、その中心が文字板２１の中心（つまり外装ケース１の中心）にほぼ一致するように配置されている。電波修正時計１００の平面視において、磁心５１の内周は、筒車４４１や二番車４４４よりも大きい径寸法の円形に形成され、磁心５１の外周は、分針軸４４２からロータ４３３Ａ，４３３Ｂまでの距離よりも小さい半径の円形に形成されている。
【００４３】
磁心５１の略３時方向および略９時方向には、それぞれ文字板２１の半径方向外側に向かって突出するコア部５１１Ａ，５１１Ｂが一体的に形成されている。コア部５１１Ａ，５１１Ｂには、それぞれコイル５２Ａ，５２Ｂが巻き回されており、これにより、コイル５２Ａ，５２Ｂの軸線方向は、３時と９時とを結ぶ方向にほぼ平行に配置されている。なお、これらのコイル５２Ａ，５２Ｂは、直列に接続されていてもよいし、並列に接続されていてもよい。また、コア部５１１Ａ，５１１Ｂは二つ設けられているものに限らず、電波修正時計１００の構成部品の配置や、アンテナ５の寸法に応じて複数個設けられていてもよい。
【００４４】
このようなアンテナ５は、文字板２１の下側で、ムーブメント４上側に配置され、コイル５２Ａ，５２Ｂの軸線方向が文字板２１の平面方向にほぼ平行に配置されている。また、アンテナ５は、その外形部分において文字板２１の下面に当接されている。
この時、第一実施形態と同様に、電波修正時計１００の側面視において、アンテナ５の厚み方向の中心位置Ｎは、ムーブメント４の厚み方向の中心位置Ｃよりも文字板２１側に配置され、かつ、外装ケース部１Ａの厚み方向の中心位置Ｐ１よりも文字板２１側に配置されている。つまり、外装ケース１の上端からアンテナ５の中心位置Ｎまでの距離Ｑ１は、アンテナ５の中心位置Ｎから裏蓋３の下端までの距離Ｑ２よりも小さくなっている。ここで、距離Ｑ１は、第一実施形態と同様に、（Ｑ１＋Ｑ２）×１／３よりも小さくなるように設定されていることがより好ましい。
【００４５】
また、電波修正時計１００の側面視において、コア部５１１Ａ，５１１Ｂの軸方向端部は、外装ケース１内周面まで所定距離Ｘを有し、したがって、コア部５１１Ａ，５１１Ｂ端部の中心位置および外装ケース１の内周上端を結んだ線と、筒軸方向Ｌ１に平行な方向線Ｌ２とがなす角θが所定角度θ１となるように設定されている。なお、所定距離Ｘおよび所定角度θ１は、外装ケース１が金属材料で構成されていてもアンテナ５において電波受信が可能となるように、外装ケース１の材質、寸法や、アンテナ５の寸法、磁心５１およびコイル５２の材質、寸法などを勘案して適宜設定される。ここで、電波修正時計１００の側面視において、アンテナ５の中心位置Ｎが外装ケース部１Ａの中心位置Ｐ１より文字板２１側である場合に、所定角度θ１は例えば３０°以上であればアンテナ５での電波受信が可能であり、より好ましくは４５°以上、さらに好ましくは６０°以上に設定される。
【００４６】
このような第二実施形態によれば、第一実施形態の(１)、(２)、(３)および(６)の効果と同様の効果が得られる他、次のような効果が得られる。
(７) 磁心５１が、電波修正時計１００の平面視で筒車４４１や二番車４４４などの歯車が多数重なる中心を避けて環状に形成されているので、これらの歯車が磁性材料や導電性材料で構成されている場合でも、これらの歯車によるアンテナ５への磁界の影響を受けにくくできる。したがって、アンテナ５での良好な電波受信性能を維持しながら、輪列４４を金属材料で構成することができる。輪列４４に金属材料を使用することにより、輪列４４の剛性を高めることができ、電波修正時計１００の耐久性を向上させることができる。
【００４７】
(８) アンテナ５のコイル５２Ａ，５２Ｂが３時および９時を結ぶ方向にほぼ平行に配置されているので、第一実施形態の(５)の効果と同様に、例えば取付部１１，１２に金属製の腕時計用バンドが取り付けられる場合でも、アンテナ５の軸方向延長線上に腕時計用バンドが干渉せず、腕時計用バンドによって電波磁界を妨げられることなく、アンテナ５において良好かつ確実に電波を受信できる。
【００４８】
(９) コア部５１１Ａ，５１１Ｂが外装ケース１の内周面から所定距離Ｘを有して配置され、この時コア部５１１Ａ，５１１Ｂの端部中心が外装ケース１の内周上端に対して所定角度θ１を有して配置されているので、外装ケース１が金属材料で構成されていても、外装ケース１の文字板２１側の開口から良好の電波を受信できる。
【００４９】
(10) 磁心５１が環状に形成され、コア部５１１Ａ，５１１Ｂがその周上に複数箇所（二箇所）形成されているので、アンテナ５のコイル５２Ａ，５２Ｂを分割して配置することができるとともに、アンテナ５の十分な受信感度を確保できる。また、逆に、コイル５２Ａ，５２Ｂを分割して配置できるので、アンテナ５の形状の自由度を向上させることができ、外装ケース１内での配置の自由度を向上させることができる。
【００５０】
〔第三実施形態〕
次に、本発明の第三実施形態について説明する。第三実施形態は、第一実施形態における電波修正時計１００に日車を設けたものである。
図７には、第三実施形態にかかる電波修正時計１００の平面図が、また図８には図７のVIII-VIII断面図が示されている。これらの図７および図８において、電波修正時計１００は、日車４５を備えている。
【００５１】
日車４５は、外装ケース１の内方で、ムーブメント４および文字板２１の間に配置されている。この日車４５は、中央部が開口された環状の歯車で、例えば、プラスチックや無機ガラス、紙材などの非導電性かつ非磁性の材料で構成されている。日車４５は、筒車４４１から繋がる輪列（不図示）に噛合され、筒車４４１の回転により所定の速度で回転される。日車４５には文字板２１に対向して日を表す文字が記されている（不図示）。なお、文字板２１には、日車４５の文字を外部から視認可能にする日窓２１２が略３時方向に開口形成されている。日車４５は、ムーブメント４上面と円盤状の日車押さえ４５１との間に挟持されて、回転可能に支持されている。
アンテナ５は、その軸方向が３時と９時とを結ぶ方向にほぼ平行に配置され、日車４５の内周より内側に配置されている。したがって、電波修正時計１００の平面視において、アンテナ５と日車４５とは重ならないようになっている。また、電波修正時計１００の側面視においては、アンテナ５は文字板２１とほぼ平行に配置され、アンテナ５の外形部分が文字板２１の下部に近接配置されている。具体的には、アンテナ５は、地板４６に形成されたアンテナ挿入孔４６Ａに挿入されて地板４６表面から突出して配設されることにより、アンテナ５の側面が日車押さえ４５１の下面に当接されている。
【００５２】
このような構成の電波修正時計１００においても、第一実施形態の(１)、(２)、(３)、(４)、(５)および(６)の効果と同様の効果が得られ、電波修正時計１００の側面視において、アンテナ５の中心位置Ｎが、外装ケース部１Ａの中心位置Ｐ１よりも文字板２１側に近く、またムーブメント４の中心位置Ｃよりも文字板２１側に近く配置されているので、アンテナ５が外装ケース１の文字板２１側の開口から良好に電波を受信できる。
また、アンテナ５と日車４５とが電波修正時計１００の平面視において重ならないように配置されているので、日車４５を導電性かつ磁性を有する金属材料などで構成した場合でも、アンテナ５での良好な電波受信性能を確保できる。
【００５３】
〔第四実施形態〕
次に、本発明の第四実施形態について説明する。第四実施形態は、第一実施形態における電波修正時計１００に光発電手段６を設けたものである。
図９には、第四実施形態にかかる電波修正時計１００の平面図が、また図１０には、図９のX-X断面図が示されている。これらの図９および図１０において、電波修正時計１００は光発電手段６を備えている。
【００５４】
光発電手段６は、文字板２１の時刻表示面２１１とは反対側に配設され、光電変換により発電を行う光電変換素子６１と、光電変換素子６１を支持する支持基板６２とを備えて構成されている。
光電変換素子６１は、文字板２１と略同一の面積を有する略円形のパネル状であり、文字板２１側から透明電極層（ＴＯＣ）、半導体層、透明電極層がこの順で積層されて構成されている（図示省略）。透明電極層は、透明導電膜を有し、透明導電膜としては、例えば、ＳｎＯ２、ＺｎＯ、ＩＴＯ（Indium Tin Oxide）などが挙げられる。半導体層は、微結晶または非晶質のシリコンでありｐｎ接合された構造を有するＰＩＮ型フォトダイオードである。なお、文字板２１から離隔する側の透明電極層には反射金属膜が蒸着されていてもよい。
【００５５】
支持基板６２は、ポリイミド樹脂、ガラス入りエポキシ樹脂、セラミックス等の非磁性かつ非導電性の材料で構成されている。支持基板６２は、光電変換素子６１と略同一の面積を有する板状であって文字板２１とは反対側で光電変換素子６１に接着されている。
このような光発電手段６は、光電変換素子６１を文字板２１下面に接合したり、支持基板６２をムーブメント４上面にビス止めなどして、外装ケース１内部に固定されている。
なお、文字板２１は、非導電性、非磁性の材料で構成され、風防２３側から光発電手段６が受光できるように、例えば無機ガラスや有機ガラスなどの光透過性の材料で構成されている。
【００５６】
アンテナ５は、その軸線が支持基板６２の下面（光電変換素子６１が設けられた側とは反対側の面）に、支持基板６２と平行となるように配置されている。また、アンテナ５は、地板４６に形成されたアンテナ挿入孔４６Ａに挿入されているので、アンテナ５の外形部分は、支持基板６２に当接されて配置されている。
電波修正時計１００の平面視において、アンテナ５は略６時方向に配設され、その軸方向が３時と９時とを結ぶ方向にほぼ平行に配置されている。
また、電波修正時計１００の側面視において、アンテナ５の中心位置Ｎは、ムーブメント４の中心位置Ｃより文字板２１側で、かつ外装ケース部１Ａの中心位置Ｐ１より文字板２１側となっている。つまり、外装ケース１の風防２３側の端部（一方の端部）からアンテナ５の中心位置Ｎまでの距離Ｑ１は、アンテナ５の中心位置Ｎから裏蓋３の下端までの距離Ｑ２より小さくなっている。
【００５７】
このような構成の電波修正時計１００においても、第一実施形態の(１)、(２)、(３)、(４)、(５)および(６)の効果と同様の効果が得られ、アンテナ５が文字板２１側に近接して配置されているので、文字板２１側（風防２３側、つまり外装ケース１の一方の端部）から良好に電波を受信できる。
また、この時支持基板６２が非磁性かつ非導電性の材料で構成されているので、外部からの電波が光発電手段６を貫通することができ、光発電手段６の直下に配置されたアンテナ５で文字板２１側から良好に電波を受信できる。したがって、光発電手段６は、アンテナ５が近接配置されても、その影響を受けることなく良好に受光し発電することができるとともに、アンテナ５は、光発電手段６の影響を受けることなく良好な受信性能を確保することができ、しかもその際は、裏蓋３や外装ケース１を金属材料で構成することができ、電波修正時計１００の外観を向上させることができる。
なお、支持基板６２に磁性材料などを使用する場合でも、支持基板６２の形状や配置を電波修正時計１００の平面視においてアンテナ５に重ならないように工夫したり、支持基板６２を限りなく薄く構成することにより、アンテナ５周囲の磁界への影響を無視できるほど小さくするなどの方法によって正確な電波を受信できることも考えられるので、支持基板６２の材料は非磁性材料に限定されない。要するに、支持基板６２の形状や材質は、アンテナ５の電波受信を妨げないように構成されていればよく、例えば導電性材料の黄銅や、ベリリウム銅、非磁性のステンレス鋼などが採用できる。
【００５８】
なお、本発明は前述の各実施形態に限定されるものではなく、本発明の目的を達成できる範囲での変形、改良等は本発明に含まれるものである。
例えば、外装ケースの形状は任意であり、各実施形態での円筒形に限らず、角筒状や変形筒形状など、用途やデザインに応じて適宜設定できる。また、外装ケースは、両端が開口となっているものに限らず、例えば、外装ケースと蓋部材とが一体となった有底筒状に形成されていてもよく、要するに少なくとも一方の端部が開口となっていればよい。
外装ケースは、ムーブメントを保持する胴や、カバー部材を保持するガラス縁等の複数の金属外装部品が組み立てられて一体に構成される構造であってもよい。また、外装ケースは、金属材料のみで構成されるものに限らず、例えば合成樹脂製の外装ケース本体の表面を金属薄板で覆って一体化した構造であってもよい。
【００５９】
電波修正時計の構成は、各実施形態のものに限らず電波によって表示時刻を修正する時計であれば任意であり、第三実施形態のように日車４５を有するものや、第四実施形態のように光発電手段６を有するものであってもよく、その他例えばストップウォッチ機能を備えたクロノグラフや、アラーム機能を備えた時計など、用途や使用に応じて任意に構成してよい。
【００６０】
アンテナの形状、構成は、各実施形態に示されたものに限らず、アンテナの受信性能や外装ケースのスペース等を勘案して適宜設定してよい。例えばアンテナは、磁心が設けられておらず、中空筒状に形成された、いわゆるコアレス状のものであってもよい。また、アンテナの磁心は、薄板状部材を多数積層したものに限らず、例えば角柱や円柱状に形成されていてもよい。
また、アンテナの形状は、例えばその磁心が外装ケースの一方の端部側に折曲されていてもよい。
図１１には、本発明のアンテナの形状の変形例が示されている。図１１において、アンテナ５は磁心５１がコイル５２の両端外側において文字板２１側に折り曲げられ、磁心５１の端部が文字板２１の下面に沿って平行に配置されて文字板２１に当接されている。このような形状のアンテナ５では、コイル５２の厚み分だけ、アンテナ５の端部、つまり磁心５１の端部をより文字板２１側に近づけて配置することができ、アンテナ５の受信感度を高めることができる。
【００６１】
図１２および図１３には、光発電手段６を備えた図１０の変形例であって、アンテナの形状についての別の変形例が示されている。図１２では、磁心５１がコイル５２の両端外側において金属材料で構成された外装ケース１の風防２３側の開口に向かって傾斜している。また、図１３では、アンテナ５は磁心５１およびコイル５２全体が文字板２１方向に湾曲しており、これにより磁心５１の端部がコイル５２より文字板２１側に近接して配置される。図１２および図１３において、磁心５１の折曲角度あるいは湾曲率は、磁心５１の端部中心と、外装ケース１の内周上端とを結んだ線の、筒軸方向Ｌ１に平行な方向線Ｌ３に対する角度θが、所定角度θ１となるように設定されることが望ましい。この時所定角度θ１は、例えば３０°以上であればアンテナ５で電波を受信可能となり、より好ましくは４５°以上、さらに好ましくは６０°以上であれば電波の受信が良好となる。
あるいは、図１２および図１３には図示しないが、磁心５１の折曲角度あるいは湾曲率は、アンテナ５端部の延長線が金属の外装ケース１に干渉することなく、風防２３が設けられた一方の開口を通過するように設定されていてもよい。
また、この時、図１２および図１３では、各実施形態と同様に、電波修正時計１００の側面視で、アンテナ５の中心位置Ｎが外装ケース部１Ａの中心位置Ｐ１よりも文字板２１側に配置されている。なお、図１３においては、電波修正時計１００の側面視においてアンテナ５の最も裏蓋３側に近い位置（図１３ではアンテナの長さ方向の中心）における中心位置Ｎが外装ケース部１Ａの中心位置Ｐ１より文字板２１側に配置されている。
【００６２】
このように、アンテナ両端のうち少なくとも一端が外装ケースの一方の端部に向かって折曲されたり湾曲されたりしていれば、外装ケースの開口から入った電波がアンテナの磁心に入りやすく、したがって電波受信を良好にできる。
また、逆にこのようにアンテナを一方の開口側に折曲すること等によって電波の受信性能を向上させることができるので、外装ケースを小さくしてもアンテナでの良好な電波受信を確保できる。したがって、外装ケースの小型化を促進でき、デザインの多様化を促進させることができる。
【００６３】
第二実施形態のアンテナ５では、コア部５１１Ａ，５１１Ｂが外装ケース１の内周面から所定距離Ｘを有して配置され、コア部５１１Ａ，５１１Ｂの端部中心が外装ケース１の内周上端に対して所定角度θ１を有して配置されていたが、このようなアンテナの位置関係は他の実施形態についても適用できる。
例えば、図１４には、アンテナの位置関係の図が示されている。この図１４において、アンテナ５の端部は、外装ケース１の内周面から所定距離Ｘを有して配置され、アンテナ５の端部中心および外装ケース１の内周上端を結ぶ線と、筒軸方向Ｌ１に平行な方向線Ｌ３とがなす角度θは、所定角度θ１に設定されている。所定角度θ１は、第二実施形態と同様に、外装ケース１の文字板２１側の開口からアンテナ５が良好に電波を受信できるように設定され、例えば所定角度θ１が３０°以上であれば、アンテナ５で電波を受信可能であり、好ましくは４５°以上、より好ましくは６０°以上に設定されれば、アンテナ５での電波受信が良好となる。
【００６４】
アンテナのムーブメント内での平面的な配置は、任意に設定でき、例えばアンテナと蓋部材との間に時計の構成部品が配置されていてもよい。
図１５には、電波修正時計の変形例を示す平面図が、また、図１６には、図１５のXVI-XVI断面図が示されている。これらの図１５および図１６において、アンテナ５は各実施形態と同様にムーブメント４内において文字板２１側に近接して配置されている。また、文字板２１とムーブメント４との間には、第四実施形態と同様の光発電手段６が設けられている。電波修正時計１００の側面視において、アンテナ５と輪列受４７との間には、時針用ステッピングモータ４３Ｂの時針用輪列４４Ｂの一部である歯車が配置されている。つまり、時針用輪列４４Ｂは、電波修正時計１００の平面視において、アンテナ５と重なって配置されている。アンテナ５は文字板２１側に近接して配置されているので、アンテナ５と輪列受４７との間にはある程度のスペースが形成される。そこで、このスペースを利用して電波修正時計１００の他の構成部品を配置することにより、電波修正時計１００のスペース効率を高めることができる。これにより、電波修正時計１００の小型化を促進できる。また、電波修正時計１００の平面視において、時針用輪列４４Ｂがアンテナ５側に近接して配置されるので、電波修正時計１００の略９時方向のスペースが大きく取れるため、例えば水晶振動子４１２，４１３を大きくすることができる。このように、アンテナ５が文字板２１側に近接して配置されることにより、アンテナ５と輪列受４７との間のスペースを有効に利用できる。なお、アンテナ５と輪列受４７との間には、時針用輪列４４Ｂに限らず、例えば切替ユニット１３や、回路ブロック４２、水晶振動子ユニット４１等の任意の部品、部材を配置できる。
【００６５】
また、第二実施形態のように、電波修正時計に日車が設けられている場合には、アンテナ５は、図１７および図１８に示されるように、電波修正時計１００の平面視で日車４５に重なって配置されていてもよい。
図１７は、本発明のアンテナの配置の変形例を示す平面図であり、図１８は、図１７のXVIII-XVIII断面図である。これらの図１７および図１８に示されるように、電波修正時計１００の平面視において、アンテナ５は、略６時方向に配設されており、図１５および図１６に示される電波修正時計１００のアンテナ５に比べて外装ケース１内でより外周側に配置されている。この配置により、アンテナ５の一部は電波修正時計１００の平面視で日車４５に重なっている。日車４５は、ポリアセタール樹脂等のプラスチック材料で構成され、日窓２１２は、略６時方向に配設されている。このような配置によれば、アンテナ５をムーブメント４内においてより外周側に配置できるので、電波修正時計１００の内側のスペースを有効に利用でき、構成部品のレイアウトの自由度を向上させることができる。また、アンテナ５がよりスペースが大きい外装ケース１の外周側に配置されることにより、アンテナ５をより大きく構成することができるので、アンテナ５の電波受信感度を向上させることができる。また、日車４５がプラスチック材料等の非磁性材料で構成されているので、アンテナ５が電波修正時計１００の平面視で日車４５に重なっていても、良好に電波を受信できる。
また、この場合においても、アンテナ５の磁心５１の厚み方向（高さ方向）の中心位置Ｎは、ムーブメント４の厚み方向（高さ方向）の中心位置Ｃより文字板２１側に配置されている。また、磁心５１の厚み方向（高さ方向）の中心位置Ｎは、外装ケース１における厚み方向の中心位置Ｐよりも文字板２１側に配置されている。そして、磁心５１（アンテナ５）の厚み方向の中心位置Ｎから外装ケース１の裏蓋３とは反対側の端部までの距離Ｑ１は、磁心５１（アンテナ５）の厚み方向の中心位置Ｎから裏蓋３までの距離Ｑ２よりも小さく設定されている。このようなアンテナ５の配置により、アンテナ５が外装ケース１の文字板２１側の開口から電波を良好に受信できる。なお、この場合においても、図１５および図１６と同様に、電波修正時計１００の平面視においてアンテナ５と輪列受４７との間に時針用輪列４４Ｂなどのムーブメント４の構成部品を配置してもよい。
なお、これらの図１７および図１８においては、日車４５は、ムーブメント４および光発電手段６の間に挟持されている。光発電手段６は、日車４５の内周半径よりも大きい半径の円形に形成されており、光発電手段６の半径は、日車４５の外周半径よりも小さく形成され、これにより日車４５の環状部分が文字板２１から視認可能となっている。支持基板６２は、ポリイミド樹脂などの非導電性かつ非磁性の材料で構成されている。このような構成により、支持基板６２が、日車４５の内周部分の上部を覆ってムーブメント４との間で挟持することによって日車の断面方向のずれを防止している。つまり、光発電手段６が日車押さえの機能を果たしている。
【００６６】
アンテナは、地板に組み込まれるものに限らず、例えば回路基板に実装されていてもよい。
図１９は、本発明のアンテナの固定構造の変形例を示す側断面図であり、図２０は、本発明のアンテナの固定構造の変形例を示す図１９の一部側断面図である。これらの図１９および図２０に示されるように、ムーブメント４内には、水晶振動子ユニット４１や回路ブロック４２が実装される回路基板４８が設けられている。回路基板４８は、地板４６の下面（輪列受４７に対向する面）に当接配置されており、地板４６にねじ止めなどによって固定されている。回路基板４８には、アンテナ５が配置される位置に開口部４８１が形成されており、アンテナ５のコイル５２は、この開口部４８１内に収納され、磁心５１が回路基板４８に当接されている。磁心５１は、はんだ、接着、リベット等の方法により回路基板４８に固定されている。このようなアンテナ５の固定構造によれば、アンテナ５が回路基板４８に確実に固定されるので、電波修正時計１００の動きによってアンテナ５がムーブメント４内で動かず、コイル５２の断線や他の構成部品への干渉などを確実に防止できる。なお、地板４６には、アンテナ挿入孔４６Ａが形成され、アンテナ５のコイル５２がこのアンテナ挿入孔４６Ａに挿入されているので、アンテナ５のコイル５２が光発電手段６の直下に近接配置されることとなる。また、図２０に示されるように、アンテナ５の端部と外装ケース１内側の上端部とを結んだ線と、外装ケース１の軸線Ｌ１とがなす角度θは、所定角度θ１となるように設定される。このような配置であれば、外装ケース１が例えば金属材料であっても、外部からアンテナ５の磁心５１に良好に電波が到達し、電波を確実に受信できる。
【００６７】
第四実施形態のように電波修正時計に光発電手段が設けられている場合には、光発電手段とアンテナとの配置は、発電効率やアンテナの受信感度などを勘案して適宜設定できる。
図２１は、アンテナおよび光発電手段の配置の変形例を示す平面図であり、図２２は、図２１の一部側断面図である。これらの図２１および図２２に示されるように、光発電手段６には、アンテナ５の両端部の磁心５１部分に対応する位置に開口部６５が形成されている。この配置により、電波修正時計１００の平面視において、アンテナ５の両端部は、支持基板６２に重ならない配置となっている。したがって、支持基板６２がステンレス鋼等の金属材料で構成される場合であっても、外部からの電波が開口部６５を通ってアンテナ５に到達するので、電波を良好に受信できる。もちろん、支持基板６２が、例えばポリアミド樹脂などの非金属材料で構成されていれば、アンテナ５による電波受信をより確実にできる。また、光発電手段６には、アンテナ５の両端部に対応する位置のみに開口部６５が形成されるから、受光面積を大きく取ることができ、アンテナ５での良好な受信感度を確保しながら、光発電手段６の発電効率を良好にできる。
この際、図２２に示されるようにアンテナ５の両端部の磁心５１が、支持基板６２側に折曲されていてもよく、このような構成によれば、より確実に電波を受信できる。ここで、アンテナ５は、その端部からコイル５２の軸線方向に磁界が貫通することにより電波を受信するため、特に、アンテナ５の（両）端部が磁性材料で覆われないことが好ましい。したがって例えばアンテナ５の中央部分のみが支持基板に覆われていてもよい。このような場合でも、アンテナ５の端部から磁界が進入できるので、アンテナ５は良好に電波受信できる。要するに、アンテナは、電波修正時計の平面視において、少なくとも一部が支持基板と重ならない位置に配置されていればよい。
【００６８】
アンテナの形状は、電波修正時計の平面視において直線状に形成されるものに限らない。
図２３には、アンテナの形状の変形例を示す平面図が示されている。この図２３に示されるように、アンテナ５は、外装ケース１の内側の形状に沿って略円弧状に形成されている。また、アンテナ５は、文字板２１の外形形状にも沿って配置されており、電波修正時計１００の平面視で、この文字板２１に重なる位置に配置されている。このようなアンテナ５の形状によれば、アンテナ５を直線状に形成する場合に比べて、外装ケース１内のデッドスペースを少なくすることができ、他の構成部品のレイアウトの自由度を高めることができる。
また、図２４および図２５には、アンテナの配置の変形例が示されており、図２４は、電波修正時計１００の平面図であり、図２５は、図２４の電波修正時計１００の一部側断面図である。これらの図２４および図２５において、アンテナ５は、外装ケース１の内側の形状に沿って略円弧状に形成されており、アンテナ５の外周側が外装ケース１に形成される凹部１Ａに収納されている。この配置により、アンテナ５の一部は、電波修正時計１００の平面視において外装ケース１と重なることとなり、またアンテナ５の一部が文字板２１よりも外周側に配置される。なお、この場合に、アンテナ５が外装ケース１と重なる面積（電波修正時計１００の平面視における面積）は、アンテナ５全体の面積の半分以下であることが望ましい。このような配置によれば、アンテナ５の良好な受信感度を維持しながら、外装ケース１内のスペースを有効に利用でき、他の構成部品のレイアウトの自由度をより一層高めることができる。
【００６９】
アンテナ５は、電波修正時計１００の側面視において、アンテナ５の中心位置Ｎがムーブメント４の中心位置Ｃより文字板２１側で、かつ外装ケース部１Ａの中心位置Ｐ１より文字板２１側に配置されていたが、これに限らない。例えば、アンテナの中心位置がムーブメントの中心位置より裏蓋側に配置されている場合でも、アンテナの中心位置が外装ケース部の中心位置より文字板側に配置されていれば、外装ケースの一方の端部側から良好に電波を受信できるので、本発明の目的を達成できる。
この時、アンテナが、文字板に対して平行に配置されるのではなく、ある程度の所定角度を有して配置されている場合には、例えば少なくとも一方のアンテナ端部における厚み方向の中心位置が外装ケースの中心位置より文字板側となるように配置すれば、アンテナの受信性能を確保できる。または、例えばアンテナの軸線に沿った長さのうち、半分が外装ケースの中心位置より文字板側となるように配置すれば、アンテナの受信性能を確保できる。
【００７０】
つまり、例えば前述の図１３のようにアンテナが全体的に湾曲している場合では、長さ方向の中心部分が最も裏蓋３に近く配置され、電波修正時計１００の側面視での当該中心部分の中心位置Ｎが、外装ケース部１Ａの中心位置Ｐ１よりも文字板２１側に配置されていたが、アンテナの配置は、このようなものに限らない。つまり、例えばアンテナの長さ方向の中心部分における、厚み方向の中心位置が外装ケース部の中心位置よりも裏蓋側に配置されていても、少なくともアンテナ端部が外装ケースの中心位置より文字板側に配置されていれば、外装ケースの一方の開口からアンテナへ電波が進入でき、アンテナは良好に電波を受信できる。または、アンテナの磁心の中心軸の長さ寸法のうち、半分以上が外装ケース部の中心位置より文字板側に配置されていれば、アンテナは全体として文字板側に配置されていると判断でき、この場合でもアンテナが外装ケースの文字板側の端部（一方の端部）側から良好に電波を受信できる。
要するに、電波修正時計の側面視において、アンテナの中心位置が外装ケース部の中心位置より一方の端部側に配置されている場合とは、具体的には例えばアンテナの中心軸のうち半分以上が外装ケース部の中心位置より一方の端部側に配置されていることが好ましい。また、アンテナの中心軸全部が外装ケース部の中心位置より一方の端部側に配置されていることがより好ましい。
【００７１】
外装ケース部の中心位置は、各実施形態において外装ケース１の上端から裏蓋３の下端までの距離の中心位置Ｐ１であったが、例えば図３において、裏蓋３が一点鎖線で示されるように外装ケース１の下端から突出しない形状に形成されている場合や、または裏蓋３が外装ケース１の下端よりも上方に凹んだ形状に形成されている場合には、外装ケース１の上端から下端までの距離の中心位置Ｐ２が外装ケース部１Ａの中心位置となる。要するに、外装ケース部の中心位置は、外装ケースおよび蓋部材のうち厚み方向（外装ケースの筒軸方向）の距離が最も大きい位置における中心位置に設定される。
【００７２】
さらに、電磁モータのコイルは、各実施形態において裏蓋３側に近接して設けられていたが、これに限らず、例えばコイルの厚み方向の中心位置がムーブメントの厚み方向の中心位置よりも文字板側に配置されていてもよい。この場合でも、コイルおよびアンテナを電波修正時計の平面視で互いに離れた位置に配置したり、電磁モータが動作しているときにはアンテナでの電波受信を停止する制御を行うなどすれば、アンテナ５で電波を正確に受信できるので、本発明の目的を達成できる。
【００７３】
電池とアンテナとの間には、各実施形態では切替ユニット１３および輪列４４が配置されていたが、これに限らず例えば水晶振動子ユニット４１や回路ブロック４２などが配置されていてもよい。この場合でも、電池の金属製外缶ケースがアンテナ周囲に存在する磁界に影響を及ぼすのを最小限に抑制することができる。要するに、電池およびアンテナは、切替ユニット、輪列、水晶振動子ユニット、および制御手段の少なくともいずれか一つを挟んで配置されていればよい。
なお、電池およびアンテナの間にこれらの部材が配置されない場合でも、アンテナの向きや電池の外缶ケースの材料などを変更することによりアンテナでの電波受信を可能にできるので、本発明の目的を達成できる。
【００７４】
駆動手段は電磁モータを備えたものに限らず、時刻表示手段を駆動できる任意の構造を採用でき、例えば圧電素子の振動で駆動する圧電アクチュエータでもよい。この場合には、例えば略矩形板状の補強板に板状の圧電素子を貼設し、補強板に突起を形成して圧電アクチュエータを構成する。輪列にロータなどの回転体を係合し、このロータ側面に圧電アクチュエータの突起を当接する。圧電素子に交流電圧を印加すると、圧電素子が振動するため、突起が繰り返しロータを接線方向に押圧してロータを回転させる。この回転運動を輪列で伝達することによって時刻表示手段を駆動すればよい。
この駆動手段によれば、圧電アクチュエータが駆動時に磁界を発生しないので、アンテナ周囲に存在する磁界に影響を与えることがなく、アンテナにおいて正確な電波を受信できる。
【００７５】
時刻表示手段は、時針および分針を備えたものに限らず、例えば時針のみ、あるいは分針のみでもよく、また秒針が設けられていてもよい。
文字板は、文字や数字などの装飾がされていなくてもよい。また、必ずしも文字板が設けられていなくてもよい。例えば文字板が設けられていない場合では、光発電手段を文字板として使用してもよい。
無線通信機能付電子時計は、指針を有するアナログ時計に限らず、例えば図２６に示されるように、時刻をデジタル表示する時刻表示手段２Ａを備えたデジタル時計１００Ａであってもよい。この場合であっても、デジタル時計１００Ａにおいても、デジタル時計１００Ａの側面視におけるアンテナの中心位置が、外装ケース部の中心位置よりも時刻表示手段２Ａ側に配置されていれば、本発明の目的を達成できる。
また、無線通信機能付電子時計は、外部から標準電波を受信して表示時刻を修正する電波修正時計に限らず、外部に無線情報を送信のみする機能を有する時計や、無線情報を受信し、かつ送信できる機能を有する時計であってもよい。例えば、無線通信機能付電子時計は、非接触ＩＣカードを内蔵し、アンテナを介して外部と無線情報通信（非接触データ通信）を行う時計であってもよい。
【００７６】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００７７】
【図１】本発明の第一実施形態にかかる電波修正時計の平面図。
【図２】図１のII-II断面図。
【図３】図１のIII-III断面図。
【図４】前記第一実施形態にかかる電波修正時計の構成ブロック図。
【図５】本発明の第二実施形態にかかる電波修正時計の平面図。
【図６】図５のVI-VI断面図。
【図７】本発明の第三実施形態にかかる電波修正時計の平面図。
【図８】図７のVIII-VIII断面図。
【図９】本発明の第四実施形態にかかる電波修正時計の平面図。
【図１０】図９のX-X断面図。
【図１１】本発明のアンテナの変形例を示す図。
【図１２】本発明のアンテナの別の変形例を示す図。
【図１３】本発明のアンテナのさらに別の変形例を示す図。
【図１４】本発明のアンテナの位置関係を示す図。
【図１５】本発明のアンテナの配置の変形例を示す図。
【図１６】図１５のXVI-XVI断面図。
【図１７】本発明のアンテナの配置の別の変形例を示す図。
【図１８】図１７のXVIII-XVIII断面図。
【図１９】本発明のアンテナの固定構造の変形例を示す図。
【図２０】本発明のアンテナの固定構造の変形例を示す図。
【図２１】本発明のアンテナの配置のさらに別の変形例を示す図。
【図２２】図２１の一部側断面図。
【図２３】本発明のアンテナの変形例を示す図。
【図２４】本発明のアンテナの変形例を示す図。
【図２５】図２４の一部側断面図。
【図２６】本発明の無線通信機能付電子時計の変形例を示す図。
【符号の説明】
【００７８】
１…外装ケース、１Ａ…外装ケース部、２…時刻表示手段、３…裏蓋（蓋部材）、４…ムーブメント（駆動手段）、５…アンテナ、１３…切替ユニット、２１…文字板、２３…風防（カバー部材）、４１…水晶振動子ユニット、４２…回路ブロック（制御ブロック）、４３Ａ，４３Ｂ…ステッピングモータ（電磁モータ）、４４…輪列、４９…電池、５１…磁心、５２…コイル、１００…電波修正時計（無線通信機能付電子時計）、２２１…分針（指針）、２２２…時針（指針）、４３１Ａ，４３１Ｂ…駆動コイル。
【図１】
2005003675.tif 000003
【図２】
2005003675.tif 000004
【図３】
2005003675.tif 000005
【図４】
2005003675.tif 000006
【図５】
2005003675.tif 000007
【図６】
2005003675.tif 000008
【図７】
2005003675.tif 000009
【図８】
2005003675.tif 000010
【図９】
2005003675.tif 000011
【図１０】
2005003675.tif 000012
【図１１】
2005003675.tif 000013
【図１２】
2005003675.tif 000014
【図１３】
2005003675.tif 000015
【図１４】
2005003675.tif 000016
【図１５】
2005003675.tif 000017
【図１６】
2005003675.tif 000018
【図１７】
2005003675.tif 000019
【図１８】
2005003675.tif 000020
【図１９】
2005003675.tif 000021
【図２０】
2005003675.tif 000022
【図２１】
2005003675.tif 000023
【図２２】
2005003675.tif 000024
【図２３】
2005003675.tif 000025
【図２４】
2005003675.tif 000026
【図２５】
2005003675.tif 000027
【図２６】
2005003675.tif 000028